【事件の表示】
　特願２０１６−１０２５７２「遊技場用管理システム」拒絶査定不服審判事件〔平成２８年　８月１８日出願公開、特開２０１６−１４７１３５〕について、次のとおり審決する。
【結　論】
　本件審判の請求は、成り立たない。
【理　由】
１　手続の経緯
　本願は、平成２４年９月３日に出願した特願２０１２−１９３１０７号の一部を平成２８年５月２３日に新たな特許出願（特願２０１６−１０２５７２号）としたものであって、平成２９年３月２８日付けで拒絶の理由が通知され、平成２９年４月１７日に意見書が提出されたところ、平成２９年８月３０日付け（発送日：平成２９年９月５日）で拒絶査定がなされ、それに対して、平成２９年９月１５日に拒絶査定不服審判の請求がなされたものである。
２　本願発明
　本願の請求項１に係る発明（以下、「本願発明」という。）は、特許請求の範囲の請求項１に記載された次のとおりのものである（Ａ〜Ｌは本願発明を分説するため当審で付した。）。
「【請求項１】
Ａ　各遊技機と対応する位置に設置され、当該遊技機で使用する遊技価値を記憶管理することが可能な端末装置と、各端末装置が記憶管理する遊技価値の情報を収集して集中的に管理する集中管理装置とを備えた遊技場用管理システムにおいて、
Ｂ　前記端末装置は、
　貨幣を受付けて、その残高金額を記憶する残高金額記憶手段と、
Ｃ　前記残高金額の範囲内で、遊技に使用可能な遊技価値を遊技者に付与する遊技価値付与手段と、
Ｄ　遊技機での遊技により遊技者が獲得した遊技価値の大きさを特定する遊技価値特定手段と、
Ｅ　前記遊技価値特定手段により特定された遊技価値の大きさを記録することが可能な一般記録媒体を収納する一般記録媒体収納手段と、
Ｆ　前記遊技価値特定手段により特定された遊技価値の大きさを、前記一般記録媒体の一般ＩＤと対応付けて記録し、当該一般記録媒体を発行する一般記録媒体処理手段と、
Ｇ　前記遊技価値特定手段が特定した遊技価値の大きさを、遊技者により装着された会員記録媒体の会員ＩＤと対応付けて記憶し、当該会員記録媒体を遊技者へ返却する会員記録媒体処理手段と、
Ｈ　前記遊技価値特定手段が特定した遊技価値の大きさを、遊技者が所有する携帯端末装置の携帯ＩＤを読取り、当該携帯ＩＤと予め関連付けられた前記会員ＩＤと対応付けて記憶する携帯端末処理手段と、
Ｉ　前記一般ＩＤ及び前記会員ＩＤと対応付けて記憶された遊技価値を読出して、当該遊技価値を遊技に再度使用できるようにする遊技価値再遊技手段と、を備え、
Ｊ　前記遊技価値再遊技手段は、前記携帯端末装置の携帯ＩＤを読取ったときは、当該携帯ＩＤと関連付けられた会員ＩＤと対応付けて記憶されている遊技価値を読出し、
Ｋ　当該読出した遊技価値を前記一般記録媒体収納手段が収納している一般記録媒体と対応付けて記録した上で、遊技に再度使用できるように構成されるとともに、
Ｌ　前記会員記録媒体処理手段は、前記一般記録媒体が挿入されている状態で前記会員記録媒体が挿入されたときは、当該一般記録媒体の一般ＩＤと対応付けて記録されている遊技価値の大きさを、当該会員記録媒体の会員ＩＤと対応付けて記録されている遊技価値の大きさに合算して記憶するとともに、当該一般記録媒体を回収することが可能に構成されることを特徴とする遊技場用管理システム。」
３　原査定の概要
　原査定の拒絶の理由は、この出願の請求項１に係る発明は、その出願前に日本国内又は外国において、頒布された引用文献１及び２に記載された発明に基いて、請求項２に係る発明は、その出願前に日本国内又は外国において、頒布された引用文献１乃至３に記載された発明に基いて、その出願前にその発明の属する技術の分野における通常の知識を有する者が容易に発明をすることができたものであるから、特許法第２９条第２項の規定により特許を受けることができない、というものである。
引用文献１．特開２０１１−１９４０７７号公報
引用文献２．特開２００６−６５０３号公報
引用文献３．特開２００７−２８２６６３号公報
４　刊行物に記載された事項
（１）原査定の拒絶の理由に引用文献１として引用された、本願の遡及日前に頒布された刊行物である特開２０１１−１９４０７７号公報（以下、「刊行物１」という。）には、次の事項が図面とともに記載されている。
（１−ａ）「【００２６】
　図１に示すように、本発明に係る遊技システムでは、遊技客が
パチンコ機ごとに設けられる各台計数機能付きの各台装置
・・・
【００３４】
　図２は、本実施例に係る
遊技システム
管理装置２０には
島コントローラ４０
が接続され
【００３５】
　また、
島コントローラ４０の配下には、複数組の各台装置１０
が接続されている
管理装置２０には所定数の島コントローラ４０が接続され
各台装置１０は、島コントローラ４０と各パチンコ機３０との間に介在
一つの島コントローラ４０に対して、所定数の各台装置１０が接続される
【００３６】
　
管理装置２０は、
ＩＤｍまたはカードへ関連付けられた持玉に関する情報等を管理している。
（１−ｂ）「【００４４】
　図３に示すように、
各台装置１０は
表示操作部１３
記憶部１４
を備えて
記憶部１４は、持玉情報１４ａ
を記憶する
・・・
【００５０】
　また、
表示操作部１３の操作部には
持玉数によってパチンコ玉の払出指示を行う持玉払出ボタン等を備え
パチンコ玉の払出指示操作を受け付け
払出が行われ
（１−ｃ）「【００５２】
　図４に示すように、
各台装置１０は
パチンコ玉の払出のための各種紙幣を受け付ける紙幣挿入部３２
を備えている
【００５３】
　また、
各台装置１０は
遊技客が所有する持玉数や残額を表示したりする表示操作部１３を備えている
【００５４】
　また、
各台装置１０は
持玉数や貯玉数が関連付けられたカード（会員カードまたは一般カード）の受け付け、会員カードの返却、一般カードの発行を行うカードＲ／Ｗ部３５とを備え
カードＲ／Ｗ部３５の内部には、数枚の一般カードが収納されている
【００５５】
　さらに、
各台装置１０は、携帯端末の識別子であるＩＤｍを読み取る携帯読取部１２を備えている
【００５６】
　また、
各台装置１０は、獲得玉を計数する玉計数部３６
を備え
遊技客の携帯端末のＩＤｍへ関連付けられた持玉数がある場合には
玉計数部３６で計数された計数値を
持玉数へ加算する
（１−ｄ）「【００５９】
　また、パチンコ機３０の上皿３９には、
各台装置１０の制御部１５
紙幣挿入部３２へ挿入された各種紙幣の残額
から所定額を減算し、所定額に応じた数のパチンコ玉をパチンコ機３０から投出
（１−ｅ）「【００６４】
　持玉情報受信部１５ｃは、携帯ロック要求部１５ｂが
管理装置２０へ送信したＩＤｍへ関連付けられる持玉数や残額を管理装置２０から受信して、記憶部１４の持玉情報１４ａへ登録する
（１−ｆ）「【００６６】
　つぎに、管理装置２０の構成について説明する。
管理装置２０は
記憶部２２
を備えている
・・・
【００６９】
　また、
記憶部２２は、台番号へ関連付けて持玉数や残額をカード情報２２ｂとして記憶し、ＩＤｍへ関連付けて持玉数や残額を持玉情報２２ｃとして記憶する
（１−ｇ）「【００７９】
　図５に示すように、会員情報２２ａは、「会員ＩＤ」項目と、「ＩＤｍ」項目とを含んでいる。「会員ＩＤ」項目は、遊技店の会員を一意に識別することができる識別子である。
「ＩＤｍ」項目は、携帯会員が所有する携帯端末の識別子であり、会員ＩＤへ関連付けられている
【００８０】
　また、会員カードを所有する会員の場合は、会員ＩＤへ関連付けて会員カードの識別子であるカードＩＤを記憶することとしてもよいし、
会員ＩＤとカードＩＤとが同じであってもよい
（１−ｈ）「【００８４】
　図６に示すように、
カード情報２２ｂは、各台装置１０の識別子である「台番号」項目と、台番号へ関連付けられて「カードＩＤ」項目と、「ＩＤｍ」項目と、「携帯端末ロック」項目と、「持玉数」項目と、「残額」項目とを含
【００８５】
　
「カードＩＤ」項目は、台番号に対応するカードＩＤであり、「ＩＤｍ」項目は、ロック携帯端末として登録されるＩＤｍ
「持玉数」項目および「残額」項目は、台番号に対応する各台装置１０へ関連付けられている持玉数および残額である
・・・
【００８７】
　したがって、
「カードＩＤ」項目は、各台装置１０へセットされている一般カードのカードＩＤとなる
各台装置１０へ会員カードが挿入されている場合には、会員カードのカードＩＤとなる
・・・
【００８９】
　また、図６の２行目には、
台番号００２の各台装置１０にセットされたカードＩＤ００２１の一般カードへ持玉数３０００玉
が関連付けられている
（１−ｉ）「【００９４】
　なお、
持玉数および残額を「ＩＤｍ」項目へ関連付けることとしたが
会員カードのカードＩＤへ関連付けることとしてもよい
・・・
【００９６】
　まず、図８に示すように、
各台装置１０に備える携帯読取部１２では、遊技客の所有する携帯端末がタッチされたことによって、携帯端末を受け付けたならば（ステップＳ１０１）、かかる携帯端末のＩＤｍを読み取る
（１−ｊ）「【０１１２】
　なお、上述した実施例では、チャージボタン押下によるチャージ要求操作によって携帯端末へ持玉数および残額を関連付けてチャージすることとした。しかし、
各台装置１０では、カード返却ボタン押下によって持玉数および残額を、カードＲ／Ｗ部３５の内部に収納されている一般カードへ関連付けて排出してもよい。この場合、管理装置２０が一般カードのカードＩＤとともに持玉数および残額を持玉情報２２ｃへ登録してもよいし、また、各台装置１０が排出する一般カードへ持玉数および残額を関連付けてもよい。
（１−ｋ）「【図面の簡単な説明】
【００２３】
・・・【図４】図４は、各台装置の外観図である。」との記載を参酌すると、図４には、
各台装置１０が各パチンコ機に隣接する位置に設けられている
　以上の記載事項から、以下の認定をすることができる。
（ａ）上記【００２６】には「パチンコ機ごとに設けられる各台計数機能付きの各台装置」と記載され、上記図４には、「各台装置１０が各パチンコ機に隣接する位置に設けられている」ことが図示され、上記【００３４】〜【００３５】には「遊技システム」において「管理装置２０には・・・島コントローラ４０・・・が接続され」、「島コントローラ４０の配下には、複数組の各台装置１０・・・が接続されている」と記載されており、「各台装置１０は、島コントローラ４０と各パチンコ機３０との間に介在」するとも記載されている。
　つまり、各台装置１０が、パチンコ機ごとに隣接する位置に設けられ、管理装置２０と接続する島コントローラ４０と各パチンコ機３０との間に介在していることが記載されている。
　また、上記【００４４】には「各台装置１０は・・・記憶部１４・・・を備えて」おり、「記憶部１４は、持玉情報１４ａ・・・を記憶する」と記載されており、上記【００６４】には、「持玉数や残額を管理装置２０から受信して、記憶部１４の持玉情報１４ａへ登録する」と記載されている。
　これらの記載によれば、各台装置１０は持玉数を記憶しており、また、管理装置から受信した持玉数を登録していることから、持玉数を管理しているともいえる。
　つまり、各台装置１０は、持玉数を記憶管理することが可能であることが記載されている。
　そして、上記【００６６】には「管理装置２０は・・・記憶部２２・・・を備えている」と記載されており、上記【００６９】には「記憶部２２は、台番号へ関連付けて持玉数や残額をカード情報２２ｂとして記憶し」と記載されており、上記【００３５】〜【００３６】には「管理装置２０には所定数の島コントローラ４０が接続され・・・一つの島コントローラ４０に対して、所定数の各台装置１０が接続され・・・管理装置２０は・・・ＩＤｍまたはカードへ関連付けられた持玉に関する情報等を管理している。」と記載されている。
　つまり、管理装置２０は、複数台の各台装置と接続され、台番号へ関連付けて持玉数や残額をカード情報２２ｂとして記憶していること、および、ＩＤｍまたはカードへ関連付けられた持玉に関する情報等を管理していることが記載されている。
　そして、管理装置２０は、ＩＤｍまたはカードへ関連付けられた持玉に関する情報等を管理しており、持玉に関する情報等は、台毎にカード情報２２ｂとしても記憶されているのであるから、カード情報２２ｂとして記憶される台番号へ関連付けられた持玉数や残額に関する情報も、管理装置２０によって管理されている。
　そうすると、刊行物１には、
各パチンコ機３０ごとに隣接する位置に設けられ、島コントローラ４０を介して管理装置２０と接続する、持玉数を記憶管理することが可能な各台装置１０と、複数台の各台装置１０と接続され、台番号へ関連付けて持玉数や残額をカード情報２２ｂとして記憶部２２に記憶し、持玉に関する情報等を管理する管理装置２０を備えた遊技システム
（ｂ）上記【００５２】には「各台装置１０は・・・パチンコ玉の払出のための各種紙幣を受け付ける紙幣挿入部３２・・・を備えている」と記載されており、【００５３】には「各台装置１０は・・・遊技客が所有する持玉数や残額を表示したりする表示操作部１３を備えている」と記載されているので、
　刊行物１には、
各台装置１０は、各種紙幣を受け付けて、その残高金額を表示する表示操作部１３を備え
（ｃ）上記【００５９】には、「各台装置１０の制御部１５・・・紙幣挿入部３２へ挿入された各種紙幣の残額・・・から所定額を減算し、所定額に応じた数のパチンコ玉をパチンコ機３０から投出する」と記載されているので、
　刊行物１には、
各台装置１０の制御部１５は、挿入された各種紙幣の残額から所定額を減算し、所定額に応じた数のパチンコ玉をパチンコ機３０から投出させ
（ｄ）上記【００５６】には、「各台装置１０は、獲得玉を計数する玉計数部３６・・・を備え・・・玉計数部３６で計数された計数値を・・・持玉数へ加算する」と記載されているので、
　刊行物１には、
各台装置１０の玉計数部３６は、獲得玉を計数し、計数された計数値を持玉数へ加算
（ｅ）上記【００５４】には、「各台装置１０は・・・持玉数や貯玉数が関連付けられたカード（会員カードまたは一般カード）の受け付け、会員カードの返却、一般カードの発行を行うカードＲ／Ｗ部３５とを備え・・・カードＲ／Ｗ部３５の内部には、数枚の一般カードが収納されている」と記載されている。つまり、各台装置１０は一般カードを収納するカードＲ／Ｗ部３５を備えている。
　また、上記（ｄ）の認定のとおり、各台装置１０は「獲得玉を計数し、計数された計数値」を「持玉数へ加算」しているので、持玉数は獲得玉の計数値を含む。
　そして、上記【０１１２】には、「各台装置１０では、カード返却ボタン押下によって持玉数および残額を、カードＲ／Ｗ部３５の内部に収納されている一般カードへ関連付けて排出してもよい。この場合、管理装置２０が一般カードのカードＩＤとともに持玉数および残額を持玉情報２２ｃへ登録してもよいし、また、各台装置１０が排出する一般カードへ持玉数および残額を関連付けてもよい。」と記載されている。このうち、「一般カードへ持玉数および残額を関連付け」るとは、管理装置２０への登録と対比的に記載されていることから、一般カード自体に持玉数および残額等を記録するとの意味であることが明らかである。
　したがって、刊行物１には、
各台装置１０は、遊技客が遊技中に獲得した持玉数を記録することが可能な一般カードを収納するカードＲ／Ｗ部３５を備え
（ｆ）上記【００８４】〜【００８５】には、「カード情報２２ｂは、各台装置１０の識別子である「台番号」項目と、台番号へ関連付けられて「カードＩＤ」項目と、「ＩＤｍ」項目と、「携帯端末ロック」項目と、「持玉数」項目と、「残額」項目とを含・・・「カードＩＤ」項目は、台番号に対応するカードＩＤであり、「ＩＤｍ」項目は、ロック携帯端末として登録されるＩＤｍ・・・「持玉数」項目および「残額」項目は、台番号に対応する各台装置１０へ関連付けられている持玉数および残額である」と記載されている。
　また、上記【００８７】には、「「カードＩＤ」項目は、各台装置１０へセットされている一般カードのカードＩＤとなる」と記載されており、上記（ａ）の認定のとおり、管理装置２０はカード情報２２ｂを記憶部２２に記憶しているので、管理装置２０は、台番号と一般カードのカードＩＤ、持玉数を関連づけて記憶している。
　そして、上記【００５４】には「一般カードの発行を行うカードＲ／Ｗ部３５とを備え」と記載されているので、刊行物１には、
管理装置２０の記憶部２２は、各台装置１０の台番号と、一般カードのカードＩＤと、遊技客が遊技中に獲得した持玉数を関連づけして記憶し、各台装置１０のカードＲ／Ｗ部３５は当該カードＩＤの一般カードを発行
（ｇ）上記（ｆ）の認定に加え、【００８７】には、「「カードＩＤ」項目は、・・・各台装置１０へ会員カードが挿入されている場合には、会員カードのカードＩＤとなる」とも記載されており、【００５４】には「会員カードの返却・・・を行うカードＲ／Ｗ部３５とを備え」と記載されているので、刊行物１には、
管理装置２０の記憶部２２は、各台装置１０の台番号と、挿入された会員カードのカードＩＤと、遊技客が遊技中に獲得した持玉数を関連づけして記憶し、各台装置１０のカードＲ／Ｗ部３５は会員カードを返却
（ｈ）上記【００５５】には「各台装置１０は、携帯端末の識別子であるＩＤｍを読み取る携帯読取部１２を備えている」、上記【００６９】には「記憶部２２は、台番号へ関連付けて持玉数や残額をカード情報２２ｂとして記憶し、ＩＤｍへ関連付けて持玉数や残額を持玉情報２２ｃとして記憶する」と記載されており、上記（ａ）の認定のとおり、管理装置２０はカード情報２２ｂを記憶部２２に記憶している。
　そして、上記【００７９】には「「ＩＤｍ」項目は、携帯会員が所有する携帯端末の識別子であり、会員ＩＤへ関連付けられている」、【００８０】には「会員ＩＤとカードＩＤとが同じであってもよい」と記載されており、【００５６】には「獲得玉を計数する玉計数部・・・遊技客の携帯端末のＩＤｍへ関連付けられた持玉数がある場合には、玉計数部３６で計数された計数値を・・・持玉数へ加算する」と記載されている。
　さらに、【００９４】には、「持玉数および残額を「ＩＤｍ」項目へ関連付けることとしたが・・・会員カードのカードＩＤへ関連付けることとしてもよい」と記載されているので、
　刊行物１には、
各台装置１０の携帯読取部１２は、携帯端末の識別子であるＩＤｍを読み取り、管理装置２０の記憶部２２は、遊技客が遊技中に獲得した持玉数を、当該ＩＤｍに関連付けられた会員ＩＤと関連付けて記憶
（ｉ）上記【００４４】〜【００５０】には、「各台装置１０は・・・表示操作部１３・・・を備え」「表示操作部１３の操作部には・・・持玉数によってパチンコ玉の払出指示を行う」と記載されており、上記（ｆ）（ｇ）の認定のとおり、一般カードのカードＩＤ又は会員カードのカードＩＤと遊技客が遊技中に獲得した持玉数は関連付けされて管理装置２０の記憶部２２に記憶されており、上記【００６４】には「管理装置２０へ送信したＩＤｍへ関連付けられる持玉数や残額を管理装置２０から受信して、記憶部１４の持玉情報１４ａへ登録する」と記載され、上記【００９０】には、「持玉数および残額を「ＩＤｍ」項目へ関連付けることとしたが・・・会員カードのカードＩＤへ関連付けることとしてもよい」と記載されているから、
　刊行物１には、
管理装置２０の記憶部２２は、一般カードのカードＩＤ及び会員カードのカードＩＤと関連付けて各台の持玉数を記憶しており、各台装置１０の表示操作部１３は、管理装置２０に記憶された持玉数を受信して、受信した持玉数によってパチンコ玉の払出指示を行
（ｊ）上記【００９６】には、「各台装置１０に備える携帯読取部１２では、遊技客の所有する携帯端末がタッチされたことによって、携帯端末を受け付けたならば（ステップＳ１０１）、かかる携帯端末のＩＤｍを読み取る」と記載されており、上記【００６４】には「管理装置２０へ送信したＩＤｍへ関連付けられる持玉数や残額を管理装置２０から受信して、記憶部１４の持玉情報１４ａへ登録する」と記載されており、上記（ｈ）の認定のとおり、持玉数は会員ＩＤへ予め関連付けられたＩＤｍに関連付けて記憶されているのだから、
　刊行物１には、
各台装置１０の携帯読取部１２は、遊技客の所有する携帯端末の携帯端末のＩＤｍを読み取った時は、会員ＩＤへ予め関連付けられたＩＤｍに関連して記憶された持玉数を読み出
（ｋ）上記【０１１２】には、「各台装置１０では、カード返却ボタン押下によって持玉数および残額を、カードＲ／Ｗ部３５の内部に収納されている一般カードへ関連付けて排出してもよい・・・各台装置１０が排出する一般カードへ持玉数および残額を関連付けてもよい。」と記載されており、上記【００５４】には「持玉数や貯玉数が関連付けられたカード（会員カードまたは一般カード）の受け付け」と記載されており、上記【００８９】には、「台番号００２の各台装置１０にセットされたカードＩＤ００２１の一般カードへ持玉数３０００玉・・・が関連付けられている」と記載され、上記【００５０】には「持玉数によってパチンコ玉の払出指示を行う・・・パチンコ玉の払出指示操作を受け付け・・・払出が行われ」と記載され、上記（ｅ）で認定したとおり、「一般カードへ持玉数および残額を関連付け」るとは、「一般カード自体に持玉数および残額等を記録する」との意味であることが明らかであるから、
　刊行物１には、
持玉数を、カードＲ／Ｗ部３５の内部に収納されている一般カードへ記録して排出すること、及び、一般カードに記録された持玉数をパチンコ玉の払出に用いることができる
（ｌ’）上記【００３４】には「遊技システム」と記載されているから、刊行物１には、
遊技システム
　以上の検討から、刊行物１には、次の発明が記載されていると認められる（以下、「引用発明１」という。ａ〜ｌ’は引用発明を分説するため当審で付した。）。
「ａ　各パチンコ機３０ごとに隣接する位置に設けられ、島コントローラ４０を介して管理装置２０と接続する、持玉数を記憶管理することが可能な各台装置１０と、複数台の各台装置１０と接続され、台番号へ関連付けて持玉数や残額をカード情報２２ｂとして記憶部２２に記憶し、持玉に関する情報等を管理する管理装置２０を備えた遊技システムにおいて、
ｂ　各台装置１０は、
　各種紙幣を受け付けて、その残高金額を表示する表示操作部１３を備え、
ｃ　各台装置１０の制御部１５は、挿入された各種紙幣の残額から所定額を減算し、所定額に応じた数のパチンコ玉をパチンコ機３０から投出させ、
ｄ　各台装置１０の玉計数部３６は、獲得玉を計数し、計数された計数値を持玉数へ加算し、
ｅ　各台装置１０は、遊技客が遊技中に獲得した持玉数を記録することが可能な一般カードを収納するカードＲ／Ｗ部３５を備え、
ｆ　管理装置２０の記憶部２２は、各台装置１０の台番号と、一般カードのカードＩＤと、遊技客が遊技中に獲得した持玉数を関連づけして記憶し、各台装置１０のカードＲ／Ｗ部３５は当該カードＩＤの一般カードを発行し、
ｇ　管理装置２０の記憶部２２は、各台装置１０の台番号と、挿入された会員カードのカードＩＤと、遊技客が遊技中に獲得した持玉数を関連づけして記憶し、各台装置１０のカードＲ／Ｗ部３５は会員カードを返却し、
ｈ　各台装置１０の携帯読取部１２は、携帯端末の識別子であるＩＤｍを読み取り、管理装置２０の記憶部２２は、遊技客が遊技中に獲得した持玉数を、当該ＩＤｍに関連付けられた会員ＩＤと関連付けて記憶し、
ｉ　管理装置２０の記憶部２２は、一般カードのカードＩＤ及び会員カードのカードＩＤと関連付けて各台の持玉数を記憶しており、各台装置１０の表示操作部１３は、管理装置２０に記憶された持玉数を受信して、受信した持玉数によってパチンコ玉の払出指示を行い、
ｊ　各台装置１０の携帯読取部１２は、遊技客の所有する携帯端末の携帯端末のＩＤｍを読み取った時は、会員ＩＤへ予め関連付けられたＩＤｍに関連して記憶された持玉数を読み出し、
ｋ　持玉数を、カードＲ／Ｗ部３５の内部に収納されている一般カードへ記録して排出し、一般カードに記録された持玉数をパチンコ玉の払出に用いることができるように構成された、
ｌ’遊技システム」
（２）原査定の拒絶の理由に引用文献２として引用された、本願の遡及日前に頒布された刊行物である特開２００６−６５０３号公報（以下、「刊行物２」という。）には、次の事項が図面とともに記載されている。
（２−ａ）「【００４０】
　本発明に係わるカード管理および
カード管理システム
（２−ｂ）「【０１１６】
　図１は、
遊技設備機器１０に会員カード
が新たに挿入されたとき
【０１１７】
　管理装置１００は、遊技設備機器１０から受信した会員番号で会員情報データベース１２１を検索し、この会員番号に対応付けて会員情報データベース１２１に登録されている暗証番号と遊技設備機器１０から受信した暗証番号とを照合し、一致する場合は認証成功を、不一致の場合は認証失敗を、認証結果として遊技設備機器１０に返信する。
【０１１８】
　遊技設備機器１０は、認証失敗の場合には（ステップＳ４０４；Ｎ）会員カードを返却して（ステップＳ４０５）処理を終了する（エンド）。認証成功の場合は（ステップＳ４０４；Ｙ）、現時点で当該遊技設備機器１０の第１のリードライト装置４０に
ビジターカードがセットされているか否かを調べ
【０１１９】
　
ビジターカードがセットされている場合は
【０１２０】
　詳細には、遊技設備機器１０は、ビジターカードから読み出したカードＩＤと、発券番号と、残高と、会員カードから読み出した会員番号と、当該遊技設備機器１０の機械番号と、集約要求とを管理装置１００に送信する。これを受けた
管理装置１００は、ビジターカードデータベース１２２を検索して該当するカードＩＤのビジターカードの存在および残高を照合・確認し、この照合・確認された残高と、先の会員番号に対応付けて会員情報データベース１２１に登録されている残高とを合計する。そして、この会員番号に対応付けて会員情報データベース１２１に登録されている残高をこの合計残高に書き換える
ビジターカードをカード収容部４１に回収する
　以上の記載事項から、以下の認定をすることができる。
（ｌ）上記【０１１６】〜【０１２０】には、「遊技設備機器１０に会員カード・・・が新たに挿入されたとき、ビジターカードがセットされているか否かを調べ、ビジターカードがセットされている場合は・・・管理装置１００は、ビジターカードデータベース１２２を検索して該当するカードＩＤのビジターカードの存在および残高を照合・確認し、この照合・確認された残高と、先の会員番号に対応付けて会員情報データベース１２１に登録されている残高とを合計する。そして、この会員番号に対応付けて会員情報データベース１２１に登録されている残高をこの合計残高に書き換える・・・ビジターカードをカード収容部４１に回収する」と記載されており、上記【００４０】には、「カード管理システム」と記載されているから、
　刊行物２には、「
遊技設備機器１０は、ビジターカードがセットされている場合に、新たに会員カードが挿入されたときは、ビジターカードに該当するカードＩＤの残高と、会員カードの会員番号とに対応付けて登録されている残高を合計して記憶し、ビジターカードをカード収容部４１に回収するカード管理システム
　以上の検討から、刊行物２には、次の事項が記載されていると認められる（以下、「刊行物２記載事項」という。ｌは引用発明を分説するため当審で付した。）。
「ｌ　遊技設備機器１０は、ビジターカードがセットされている場合に、新たに会員カードが挿入されたときは、ビジターカードに該当するカードＩＤの残高と、会員カードの会員番号とに対応付けて登録されている残高を合計して記憶し、ビジターカードをカード収容部４１に回収するカード管理システム。」
５　対比
　本願発明と引用発明１とを対比する。
（ａ）引用発明１の「各パチンコ機３０ごとに隣接する位置」は、本願発明の「各遊技機と対応する位置」に相当し、引用発明１の「持玉数」、「各台装置１０」は、本願発明の「遊技機で使用する遊技価値」、「端末装置」に相当する。
　そして、引用発明１の「管理装置２０」は、各台の台番号へ関連づけて持玉数や残額を記憶しているのだから、各台装置１０が記憶管理する持玉数の情報を収集しており、また、管理装置２０は、複数の各台装置１０と接続されているので、各台装置１０が記憶管理する持玉数の情報を集中的に管理しているといえる。
　よって、引用発明１の「各パチンコ機３０ごとに隣接する位置に設けられ、島コントローラ４０を介して管理装置２０と接続する、持玉数を記憶管理することが可能な各台装置１０と、複数台の各台装置１０と接続され、台番号へ関連付けて持玉数や残額をカード情報２２ｂとして記憶部２２に記憶し、持玉に関する情報等を管理する管理装置２０を備えた遊技システム」は、本願発明の「各遊技機と対応する位置に設置され、当該遊技機で使用する遊技価値を記憶管理することが可能な端末装置と、各端末装置が記憶管理する遊技価値の情報を収集して集中的に管理する集中管理装置とを備えた遊技場用管理システム」に相当する。
（ｂ）引用発明１において「各種紙幣を受け付けて、その残高金額を表示」している以上、その残高金額は各台装置１０によって記憶されており、各台装置１０はそのための記憶手段を備えることが明らかであるため、引用発明１の「各台装置１０は、各種紙幣を受け付けて、その残高金額を表示する表示操作部１３」のための記憶手段を備えることは、本願発明の「前記端末装置は、貨幣を受付けて、その残高金額を記憶する残高金額記憶手段」を備えることに相当する。
（ｃ）引用発明１の「パチンコ玉」及び「パチンコ機３０から投出させ」ることは、それぞれ本願発明の「遊技に使用可能な遊技価値」及び「遊技者に付与する」ことに相当する。
　よって、引用発明１の「挿入された各種紙幣の残額から所定額を減算し、所定額に応じた数のパチンコ玉をパチンコ機３０から投出させ」ることは、本願発明の「前記残高金額の範囲内で、遊技に使用可能な遊技価値を遊技者に付与する」ことに相当するので、引用発明１の「挿入された各種紙幣の残額から所定額を減算し、所定額に応じた数のパチンコ玉をパチンコ機３０から投出させ」る「各台装置１０の制御部１５」は、本願発明の「前記残高金額の範囲内で、遊技に使用可能な遊技価値を遊技者に付与する遊技価値付与手段」に相当する。
（ｄ）引用発明１の「獲得玉」は、本願発明の「遊技により遊技者が獲得した遊技価値」に相当し、引用発明１の「計数された計数値」は、本願発明の「遊技者が獲得した遊技価値の大きさ」に相当しており、「計数値」の「持玉数」への「加算」は、その前提として、計数値を特定しているのであるから、引用発明１の「獲得玉を計数し、計数された計数値を持玉数へ加算」する「各台装置１０の玉計数部３６」は、本願発明の「遊技機での遊技により遊技者が獲得した遊技価値の大きさを特定する遊技価値特定手段」に相当する。
（ｅ）引用発明１の「遊技客が遊技中に獲得した持玉数」は、本願発明の「遊技機での遊技により遊技者が獲得した遊技価値」に相当し、引用発明１の「一般カード」は、本願発明の「一般記録媒体」に相当する。
　よって、引用発明１の「各台装置１０は、遊技客が遊技中に獲得した持玉数を記録することが可能な一般カードを収納するカードＲ／Ｗ部３５」は、本願発明の「前記遊技価値特定手段により特定された遊技価値の大きさを記録することが可能な一般記録媒体を収納する一般記録媒体収納手段」に相当する。
（ｆ）上記（ｅ）において認定したように、引用発明１の「遊技客が遊技中に獲得した持玉数」は、本願発明の「遊技機での遊技により遊技者が獲得した遊技価値」に相当し、引用発明１の「一般カード」は、本願発明の「一般記録媒体」に相当する。
　また、引用発明１の「当該カードＩＤの一般カードを発行」することは、本願発明の「当該一般記録媒体を発行」することに相当する。
　そして、引用発明１の「管理装置２０の記憶部２２」に「各台装置１０の台番号と、一般カードのカードＩＤと、遊技客が遊技中に獲得した持玉数を関連づけして記憶」するためには、「各台装置１０」の「一般カードのカードＩＤ」が変更された場合に、変更された「一般カードのカードＩＤ」と「各台装置１０の台番号」や「遊技客が遊技中に獲得した持玉数」が関連付けて記憶されなければならず、これは、各台装置１０の一般カードのカードＩＤの変更に起因して、管理装置２０の記憶部２２が新たな情報を記憶しているのであるから、引用発明１の各台装置１０は、管理装置２０の記憶部２２に対して、「各台装置１０の台番号と、一般カードのカードＩＤと、遊技客が遊技中に獲得した持玉数を関連づけして記憶」させているといえる。
　一方で、本願発明における（端末装置が）「前記遊技価値特定手段により特定された遊技価値の大きさを、前記一般記録媒体の一般ＩＤと対応付けて記録」について、本願発明における端末装置は、前記遊技価値特定手段により特定された遊技価値の大きさを、何に対して記録しているのか特定されていない。また、発明の詳細な説明の【００１３】では「管理装置５がカード１０，１１に対応して予め記憶している遊技価値と照合し」、【００５２】では「カードＩＤに基づいて管理装置５が記憶している持玉数を特定するようにしてもよい」と記載されているように、発明の詳細な説明において「遊技価値の大きさ」が「前記一般記録媒体の一般ＩＤと対応付けて記録」されるのは管理装置５である。つまり、端末装置における「前記遊技価値特定手段により特定された遊技価値の大きさを、前記一般記録媒体の一般ＩＤと対応付けて記録し」という構成における、「端末装置が・・・記録し」は、端末装置内のみならず、端末装置が、管理装置を含む端末装置外の媒体に記録することを含むといえる。
　よって、引用発明１の「管理装置２０の記憶部２２は、各台装置１０の台番号と、一般カードのカードＩＤと、遊技客が遊技中に獲得した持玉数を関連づけして記憶」することは、本願発明において、端末装置が「前記遊技価値特定手段により特定された遊技価値の大きさを、前記一般記録媒体の一般ＩＤと対応付けて記録」することに相当する。
　してみれば、引用発明１の各台装置１０は、本願発明の「前記遊技価値特定手段により特定された遊技価値の大きさを、前記一般記録媒体の一般ＩＤと対応付けて記録し、当該一般記録媒体を発行する一般記録媒体処理手段」に相当する手段を備えているといえる。
（ｇ）上記（ｅ）において認定したように、引用発明１の「遊技客が遊技中に獲得した持玉数」は、本願発明の「遊技機での遊技により遊技者が獲得した遊技価値」に相当する。
　また、引用発明１の「会員カード」は、本願発明の「会員記録媒体」に相当し、引用発明１の「挿入された会員カード」及び「当該カードＩＤの会員カードを返却」することは、会員カードを挿入したり、会員カードが返却される対象が会員である遊技者であることは明らかであるため、それぞれ、本願発明の「遊技者により装着された会員記録媒体」及び「当該会員記録媒体を遊技者に返却」することに相当する。
　そして、引用発明１の「管理装置２０の記憶部２２」に「各台装置１０の台番号と、挿入された会員カードのカードＩＤと、遊技客が遊技中に獲得した持玉数を関連づけして記憶」するためには、「各台装置１０」に挿入された「会員カードのカードＩＤ」が変更された場合に、変更された「会員カードのカードＩＤ」と「各台装置１０の台番号」や「遊技客が遊技中に獲得した持玉数」が関連付けて記憶されなければならず、これは、各台装置１０の、挿入された会員カードのカードＩＤの変更に起因して、管理装置２０の記憶部２２が新たな情報を記憶しているのであるから、引用発明１の各台装置１０は、管理装置２０の記憶部２２に対して、「各台装置１０の台番号と、挿入された会員カードのカードＩＤと遊技客が遊技中に獲得した持玉数を関連づけして記憶」させているといえる。
　一方で、本願発明における（端末装置が）「前記遊技価値特定手段により特定された遊技価値の大きさを、前記会員記録媒体の会員ＩＤと対応付けて記憶」について、本願発明における端末装置は、前記遊技価値特定手段により特定された遊技価値の大きさを、何に対して記憶をしているのか特定されていない。また、本願の発明の詳細な説明において、前記遊技価値特定手段により特定された遊技価値の大きさを、前記会員記録媒体の会員ＩＤと対応付けて記憶しているのは管理装置５である。つまり、端末装置における「前記遊技価値特定手段により特定された遊技価値の大きさを、前記会員記録媒体の会員ＩＤと対応付けて記憶し」という構成における、「端末装置が・・・記憶し」は、端末装置内のみならず、端末装置が、管理装置を含む端末装置外の媒体に記憶することを含むといえる。
　よって、引用発明１の「管理装置２０の記憶部２２は、各台装置１０の台番号と、会員カードのカードＩＤと、遊技客が遊技中に獲得した持玉数を関連づけして記憶」することは、本願発明において、端末装置が「前記遊技価値特定手段により特定された遊技価値の大きさを、前記会員記録媒体の会員ＩＤと対応付けて記録」することに相当する。
　してみれば、引用発明１の各台装置１０は、本願発明の「前記遊技価値特定手段が特定した遊技価値の大きさを、遊技者により装着された会員記録媒体の会員ＩＤと対応付けて記憶し、当該会員記録媒体を遊技者へ返却する会員記録媒体処理手段」に相当する手段を備えているといえる。
（ｈ）上記（ｇ）において認定したように、引用発明１の「遊技客が遊技中に獲得した持玉数」は、本願発明の「遊技機での遊技により遊技者が獲得した遊技価値」に相当し、引用発明１の「会員カード」は、本願発明の「会員記録媒体」に相当する。
　また、引用発明１の「携帯端末の識別子であるＩＤｍ」は、本願発明の「遊技者が所有する携帯端末装置の携帯ＩＤ」に相当する。
　そして、引用発明１の「管理装置２０の記憶部２２」に「遊技客が遊技中に獲得した持玉数を、当該ＩＤｍに関連付けられた会員ＩＤと関連付けて記憶」するためには、「各台装置１０」により読み取られた「携帯端末の識別子であるＩＤｍ」が変更された場合に、変更された「携帯端末の識別子であるＩＤｍ」と「会員ＩＤ」と「遊技客が遊技中に獲得した持玉数」が関連付けて記憶されなければならず、これは、各台装置１０の携帯読取部１２によって読み取られた携帯端末の識別子であるＩＤｍの変更に起因して、管理装置２０の記憶部２２が新たな情報を記憶しているのであるから、引用発明１の各台装置１０は、管理装置２０の記憶部２２に対して、「遊技客が遊技中に獲得した持玉数を、当該ＩＤｍに関連付けられた会員ＩＤと関連付けて記憶」させているといえる。
　一方で、本願発明における（端末装置が）「前記遊技価値特定手段が特定した遊技価値の大きさを、遊技者が所有する携帯端末装置の携帯ＩＤを読取り、当該携帯ＩＤと予め関連付けられた前記会員ＩＤと対応付けて記憶」について、本願発明における端末装置は、読取った携帯ＩＤを何に対して記憶しているのか特定されていない。また、本願の発明の詳細な説明において、前記遊技価値特定手段により特定された遊技価値の大きさを、会員ＩＤと対応付けて記憶しているのは管理装置５である。つまり、端末装置における「前記遊技価値特定手段が特定した遊技価値の大きさを、遊技者が所有する携帯端末装置の携帯ＩＤを読取り、当該携帯ＩＤと予め関連付けられた前記会員ＩＤと対応付けて記憶し」という構成における、「端末装置が・・・記憶し」は、端末装置内のみならず、端末装置が、管理装置を含む端末装置外の媒体に記憶することを含むといえる。
　よって、引用発明１の「管理装置２０の記憶部２２は、遊技客が遊技中に獲得した持玉数を、当該ＩＤｍに関連付けられた会員ＩＤと関連付けて記憶」することは、本願発明において、端末装置が「前記遊技価値特定手段が特定した遊技価値の大きさを、遊技者が所有する携帯端末装置の携帯ＩＤを読取り、当該携帯ＩＤと予め関連付けられた前記会員ＩＤと対応付けて記憶」することに相当する。
　してみれば、引用発明１の各台装置１０は、本願発明の「前記遊技価値特定手段が特定した遊技価値の大きさを、遊技者が所有する携帯端末装置の携帯ＩＤを読取り、当該携帯ＩＤと予め関連付けられた前記会員ＩＤと対応付けて記憶する携帯端末処理手段」に相当する手段を備えているといえる。
（ｉ）引用発明１においては、「管理装置２０の記憶部２２は、一般カードのカードＩＤ及び会員カードのカードＩＤと関連付けて各台の持玉数を記憶して」おり、「各台装置１０は、管理装置２０の記憶部２２に記憶された持玉数によってパチンコ玉の払出指示を行」うので、各台装置１０は、管理装置２０の記憶部２２から持玉数を読出して、これによって払出し指示を行っていることは明らかである。このため、引用発明１の各台装置１０は、本願発明の「前記一般ＩＤ及び前記会員ＩＤと対応付けて記憶された遊技価値を読出して、当該遊技価値を遊技に再度使用できるようにする遊技価値再遊技手段」に相当する手段を備えているといえる。
（ｊ）引用発明１の「各台装置１０は、遊技客の所有する携帯端末の携帯端末のＩＤｍを読み取った時は、会員ＩＤへ予め関連付けられたＩＤｍに関連して記憶された持玉数を読み出」すことは、本願発明の「前記遊技価値再遊技手段は、前記携帯端末装置の携帯ＩＤを読取ったときは、当該携帯ＩＤと関連付けられた会員ＩＤと対応付けて記憶されている遊技価値を読出」すことに相当する。
（ｋ）引用発明１の（上記（ｊ）で読出した）「持玉数を、カードＲ／Ｗ部３５の内部に収納されている一般カードへ記録」することは、本願発明の「当該読出した遊技価値を前記一般記録媒体収納手段が収納している一般記録媒体と対応付けて記録」することに相当し、引用発明１の「パチンコ玉の払出に用いることができる」ことは、本願発明の「遊技に再度使用できる」ようにすることに相当する。
　よって、引用発明１の「持玉数を、カードＲ／Ｗ部３５の内部に収納されている一般カードへ記録して排出し、一般カードに記録された持玉数をパチンコ玉の払出に用いることができる」ことは、本願発明の「当該読出した遊技価値を前記一般記録媒体収納手段が収納している一般記録媒体と対応付けて記録した上で、遊技に再度使用できる」ことに相当する。
（ｌ’）引用発明１の「遊技システム」は本願発明の「遊技場用管理システム」に相当する。
　上記（ａ）〜（ｌ’）の検討により、本願発明と引用発明１とは、
「【請求項１】
Ａ　各遊技機と対応する位置に設置され、当該遊技機で使用する遊技価値を記憶管理することが可能な端末装置と、各端末装置が記憶管理する遊技価値の情報を収集して集中的に管理する集中管理装置とを備えた遊技場用管理システムにおいて、
Ｂ　前記端末装置は、
　貨幣を受付けて、その残高金額を記憶する残高金額記憶手段と、
Ｃ　前記残高金額の範囲内で、遊技に使用可能な遊技価値を遊技者に付与する遊技価値付与手段と、
Ｄ　遊技機での遊技により遊技者が獲得した遊技価値の大きさを特定する遊技価値特定手段と、
Ｅ　前記遊技価値特定手段により特定された遊技価値の大きさを記録することが可能な一般記録媒体を収納する一般記録媒体収納手段と、を備え、
Ｆ　前記遊技価値特定手段により特定された遊技価値の大きさを、前記一般記録媒体の一般ＩＤと対応付けて記録し、当該一般記録媒体を発行する一般記録媒体処理手段と、
Ｇ　前記遊技価値特定手段が特定した遊技価値の大きさを、遊技者により装着された会員記録媒体の会員ＩＤと対応付けて記憶し、当該会員記録媒体を遊技者へ返却する会員記録媒体処理手段と、
Ｈ　前記遊技価値特定手段が特定した遊技価値の大きさを、遊技者が所有する携帯端末装置の携帯ＩＤを読取り、当該携帯ＩＤと予め関連付けられた前記会員ＩＤと対応付けて記憶する携帯端末処理手段と、
Ｉ　前記一般ＩＤ及び前記会員ＩＤと対応付けて記憶された遊技価値を読出して、当該遊技価値を遊技に再度使用できるようにする遊技価値再遊技手段と、を備え、
Ｊ　前記遊技価値再遊技手段は、前記携帯端末装置の携帯ＩＤを読取ったときは、当該携帯ＩＤと関連付けられた会員ＩＤと対応付けて記憶されている遊技価値を読出し、
Ｋ　当該読出した遊技価値を前記一般記録媒体収納手段が収納している一般記録媒体と対応付けて記録した上で、遊技に再度使用できるように構成される
Ｌ’遊技場用管理システム。」である点で一致し、以下の相違点で相違する。
［相違点］（構成Ｌ）
　本願発明は、「前記会員記録媒体処理手段は、前記一般記録媒体が挿入されている状態で前記会員記録媒体が挿入されたときは、当該一般記録媒体の一般ＩＤと対応付けて記録されている遊技価値の大きさを、当該会員記録媒体の会員ＩＤと対応付けて記録されている遊技価値の大きさに合算して記憶するとともに、当該一般記録媒体を回収することが可能に構成される」ものであるのに対し、引用発明１のカードＲ／Ｗ部３５では、このような特定はされていない点。
６　判断
ア　［相違点］について、
　刊行物２記載事項における「ビジターカード」、「ビジターカード」の「カードＩＤ」、「会員カード」、「会員カード」の「会員番号」及び「遊技価値の大きさ」は、本願発明における「一般記録媒体」、「一般ＩＤ」、「会員記録媒体」、「会員ＩＤ」及び「残高」に相当する。
　そうすると、刊行物２には、本願発明の「前記会員記録媒体処理手段は、前記一般記録媒体が挿入されている状態で前記会員記録媒体が挿入されたときは、当該一般記録媒体の一般ＩＤと対応付けて記録されている遊技価値の大きさを、当該会員記録媒体の会員ＩＤと対応付けて記録されている遊技価値の大きさに合算して記憶するとともに、当該一般記録媒体を回収することが可能に構成される」という構成に相当する事項が記載されているといえる。
　そして、引用発明１と刊行物２に記載される技術は、共に会員カードと会員カードではないカード（一般カード又はビジターカード）によって、投入した現金から遊技に利用した分を差し引いた金額（残額又は残高）や会員が預けている遊技価値（持玉・貯玉）を管理し、遊技者に再度の利用を可能とする遊技店用のシステムであることで共通することから、引用発明１のカードＲ／Ｗ部３５に刊行物２記載事項を適用し、上記相違点に係る本願発明の構成とすることは、当業者が容易に想到し得たものである。
イ　本願発明が奏する効果について
　上記相違点によって本願発明が奏する効果は、当業者が引用発明１及び刊行物２記載事項から予測し得る程度のものであって、格別のものではない。
７　請求人の主張
　請求人は、審判請求書において、「要するに、引用文献１には、本願発明における「遊技価値再遊技手段は、前記携帯端末装置の携帯ＩＤを読取ったときは、当該携帯ＩＤと関連付けられた会員ＩＤと対応付けて記憶されている遊技価値を読出し、遊技に再度使用できるように構成される」に相当する構成が記載されているに過ぎず、本願発明の特徴的構成である「遊技価値再遊技手段は、前記携帯端末装置の携帯ＩＤを読取ったときは、当該携帯ＩＤと関連付けられた会員ＩＤと対応付けて記憶されている遊技価値を読出し、
当該読出した遊技価値を前記一般記録媒体収納手段が収納している一般記録媒体と対応付けて記録した上で、
　しかしながら、引用発明１について、例えば携帯ＩＤを読取ってすぐにカード返却ボタン押下した際には「読出した遊技価値」が「一般記録媒体と対応付けて記録」される。そして、当該一般記録媒体を利用することは、携帯ＩＤと関連付けられた会員ＩＤと対応付けて記憶されていた遊技価値を遊技に再度使用できるようにしたことを意味するので、上記「５　対比（ｊ）（ｋ）」において検討したとおり引用発明１は、本願発明の「遊技価値再遊技手段は、前記携帯端末装置の携帯ＩＤを読取ったときは、当該携帯ＩＤと関連付けられた会員ＩＤと対応付けて記憶されている遊技価値を読出」すこと及び「当該読出した遊技価値を前記一般記録媒体収納手段が収納している一般記録媒体と対応付けて記録した上で、遊技に再度使用できるように構成される」という構成に相当する構成を備えたものとなっている。
　具体的には、引用発明１においては、携帯端末を各台装置１０にタッチすると、各台装置は携帯端末のＩＤｍを読み取って管理装置２０に当該ＩＤｍと台番号を送り、管理装置からは持玉数や残額の情報が各台装置に読み出される。その状態で遊技を行わずに、チャージではなく返却ボタンを押すと、読み出した持玉数はそのまま一般カードに関連づけられて、一般カードが排出される。この一般カードを用いてパチンコ玉の払出が出来ることは明らかであり、この携帯端末のタッチから一般カードでのパチンコ玉の払出までの一連の動作は、「前記遊技価値再遊技手段は、前記携帯端末装置の携帯ＩＤを読取ったときは、当該携帯ＩＤと関連付けられた会員ＩＤと対応付けて記憶されている遊技価値を読出し、
　当該読出した遊技価値を前記一般記録媒体収納手段が収納している一般記録媒体と対応付けて記録した上で、遊技に再度使用できる」
に該当するものである。
　したがって、この点において本願発明と引用発明１は何ら相違しないため、請求人の主張は採用できない。
８　むすび 
　以上のとおりであるから、本願発明は、特許法第２９条第２項の規定により特許を受けることができない。 
　したがって、本願は、拒絶されるべきものである。 
　よって、結論のとおり審決する。